(57)【要約】【課題】机や壁などの構造物に立て掛けた場合に簡単に転倒を防止でき、使用者の手からも簡単には滑り落ちない棒状品、杖及び把持部用滑り止め部材を提供すること。【解決手段】杖等の棒状品における把持部１１の少なくとも一部に、粘着性ゲル材の粘着面部３３が外面に露出するように、その粘着性ゲル材を構成要素とする滑り止め部材２０が固着されている。滑り止め部材２０が、把持部の本体１２に密着される粘着性ゲル材によって構成された粘着ゲル層３０と、その粘着ゲル層３０の外表面側に固着された状態の布層４０とを備え、その布層４０には貫通孔４２が設けられ、その貫通孔４２によって粘着性ゲル材が部分的に外面に露出した状態の粘着面部３３が設けられている。【選択図】図１
2009022628.tif 000002
【特許請求の範囲】
【請求項１】
杖等の棒状品における把持部の少なくとも一部に、粘着性ゲル材の粘着表面が外面に露出するように、該粘着性ゲル材を構成要素とする滑り止め部材が固着されたことを特徴とする棒状品。
【請求項２】
前記滑り止め部材が、前記把持部の本体に密着される前記粘着性ゲル材によって構成された粘着ゲル層と、該粘着ゲル層の外表面側に固着された状態の布層とを備え、該布層には貫通孔が設けられ、該貫通孔によって前記粘着性ゲル材が部分的に外面に露出した状態の粘着面部が設けられていることを特徴とする請求項１記載の棒状品
【請求項３】
請求項１記載の棒状品に用いられる滑り止め部材であって、前記把持部の本体に密着される前記粘着性ゲル材によって構成された粘着ゲル層と、該粘着ゲル層の外表面側に固着された状態の布層とを備え、該布層には貫通孔が設けられ、該貫通孔によって前記粘着性ゲル材が部分的に外面に露出した状態の粘着面部が設けられていることを特徴とする棒状品の把持部用滑り止め部材。
【請求項４】
前記粘着性ゲル材が、オレフィン系樹脂のゲルであることを特徴とする請求項３記載の棒状品の把持部用滑り止め部材。
【請求項５】
杖の上端部に実質的にＬ字又はＴ字状に形成された把持部の下面部と側面部のそれぞれの少なくとも一部に、粘着性ゲル材の粘着表面が外面に露出するように、該粘着性ゲル材を構成要素とする滑り止め部材が固着されたことを特徴とする杖。
【請求項６】
前記滑り止め部材が、前記把持部の本体に密着される前記粘着性ゲル材によって構成された粘着ゲル層と、該粘着ゲル層の外表面側に固着された状態の布層とを備え、該布層には貫通孔が設けられ、該貫通孔によって前記粘着性ゲル材が部分的に外面に露出した状態の粘着面部が設けられていることを特徴とする請求項５記載の杖。
【請求項７】
請求項５記載の杖に用いられる滑り止め部材であって、前記把持部の本体に密着される前記粘着性ゲル材によって構成された粘着ゲル層と、該粘着ゲル層の外表面側に固着された状態の布層とを備え、該布層には貫通孔が設けられ、該貫通孔によって前記粘着性ゲル材が部分的に外面に露出した状態の粘着面部が設けられていることを特徴とする杖の把持部用滑り止め部材。
【請求項８】
前記粘着性ゲル材が、オレフィン系樹脂のゲルであることを特徴とする請求項７記載の棒状品の把持部用滑り止め部材。
【発明の詳細な説明】
【技術分野】
【０００１】
この発明は、把持部について滑り止め機能が設けられた棒状品、杖及び把持部用滑り止め部材に関する。
【背景技術】
【０００２】
杖や、つぼめた傘のような棒状品を、机や壁などの構造物に立て掛けた場合、滑って倒れてしまうことが多い。
これに対して、本出願人は、棒状把持物に対し着脱自在な取付部と、表面に粘着部材を備えて前記取付部に枢着された固定板を備える棒状把持物保持具を提案してある（特許文献１参照）。
これによれば、杖などの棒状把持物を、周辺に机、壁などの構造物があるところでは、構造物の形や材質によらず起立した状態で保持することができる。
【特許文献１】実用新案登録第３１３２７１８号公報（第１頁、第１図）
【０００３】
また、杖の使用者には、握力が極めて弱いため、杖を十分に把持することができない人が多い。このような使用者の場合、手から杖が滑り落ちてしまい、その杖を拾い上げることがままならないこともある。
【発明の開示】
【発明が解決しようとする課題】
【０００４】
棒状品、杖及び把持部用滑り止め部材に関して解決しようとする問題点は、前記棒状把持物保持具を使用する場合は、簡単な操作ではあるが固定板を適宜回動させる必要がある点と、握力の弱い使用者の手から滑り落ちることについては対応できない点にある。
そこで本発明の目的は、机や壁などの構造物に立て掛けた場合に簡単に転倒を防止でき、使用者の手からも簡単には滑り落ちない棒状品、杖及び把持部用滑り止め部材を提供することにある。
【課題を解決するための手段】
【０００５】
本発明は、上記目的を達成するために次の構成を備える。
本発明にかかる棒状品によれば、杖等の棒状品における把持部の少なくとも一部に、粘着性ゲル材の粘着表面が外面に露出するように、該粘着性ゲル材を構成要素とする滑り止め部材が固着されたことを特徴とする。
【０００６】
また、本発明にかかる棒状品によれば、前記滑り止め部材が、前記把持部の本体に密着される前記粘着性ゲル材によって構成された粘着ゲル層と、該粘着ゲル層の外表面側に固着された状態の布層とを備え、該布層には貫通孔が設けられ、該貫通孔によって前記粘着性ゲル材が部分的に外面に露出した状態の粘着面部が設けられていることを特徴とすることができる。
【０００７】
また、本発明にかかる棒状品の把持部用滑り止め部材によれば、前記の棒状品に用いられる滑り止め部材であって、前記把持部の本体に密着される前記粘着性ゲル材によって構成された粘着ゲル層と、該粘着ゲル層の外表面側に固着された状態の布層とを備え、該布層には貫通孔が設けられ、該貫通孔によって前記粘着性ゲル材が部分的に外面に露出した状態の粘着面部が設けられていることを特徴とする。
また、本発明にかかる棒状品の把持部用滑り止め部材によれば、前記粘着性ゲル材が、オレフィン系樹脂のゲルであることを特徴とすることができる。
【０００８】
本発明にかかる杖によれば、杖の上端部に実質的にＬ字又はＴ字状に形成された把持部の下面部と側面部のそれぞれの少なくとも一部に、粘着性ゲル材の粘着表面が外面に露出するように、該粘着性ゲル材を構成要素とする滑り止め部材が固着されたことを特徴とする。
【０００９】
また、本発明にかかる杖によれば、前記滑り止め部材が、前記把持部の本体に密着される前記粘着性ゲル材によって構成された粘着ゲル層と、該粘着ゲル層の外表面側に固着された状態の布層とを備え、該布層には貫通孔が設けられ、該貫通孔によって前記粘着性ゲル材が部分的に外面に露出した状態の粘着面部が設けられていることを特徴とすることができる。
【００１０】
また、本発明にかかる杖の把持部用滑り止め部材によれば、前記の杖に用いられる滑り止め部材であって、前記把持部の本体に密着される前記粘着性ゲル材によって構成された粘着ゲル層と、該粘着ゲル層の外表面側に固着された状態の布層とを備え、該布層には貫通孔が設けられ、該貫通孔によって前記粘着性ゲル材が部分的に外面に露出した状態の粘着面部が設けられていることを特徴とする。
また、本発明にかかる杖の把持部用滑り止め部材によれば、前記粘着性ゲル材が、オレフィン系樹脂のゲルであることを特徴とすることができる。
【発明の効果】
【００１１】
本発明の棒状品、杖及び把持部用滑り止め部材によれば、机や壁などの構造物に立て掛けた場合に簡単に転倒を防止でき、使用者の手からも簡単には滑り落ちないという特別顕著な効果を奏する。
【発明を実施するための最良の形態】
【００１２】
以下、本発明にかかる杖及びその杖に用いる把持部用滑り止め部材の最良の形態例を添付図面（図１〜６）に基づいて詳細に説明する。
図１は本発明にかかる杖（把持部）形態例を示す側面図である。図２は図１の形態例のＡ矢視図である。図３は本発明にかかる把持部用滑り止め部材を展開した状態の下面の形態を示す底面図である。図４は本発明にかかる把持部用滑り止め部材を展開した状態の上面の形態を示す斜視図である。また、図５は図３を横断したＡ−Ａ断面図であり、図６は図３を縦断したＢ−Ｂ断面図である。
【００１３】
図１に示すように、２０は把持部用滑り止め部材であり、杖１０の上端部に実質的にＬ字又はＴ字状に形成された把持部１１の下面部１２ａと側面部１２ｂのそれぞれの少なくとも一部に、粘着性ゲル材の粘着表面（粘着面部３３）が外面に露出するように、その粘着性ゲル材を構成要素として固着されている。
【００１４】
本形態例では把持部１１が非対称のＴ字状に形成されている。
なお、把持部１１の形態は特に限定されるものではなく、傘の柄のような形態も含まれる。つまり、棒部１３に対して交差する方向へ突出する部分があることで、実質的にＬ字又はＴ字状に形成されていることになる。これにより、把持部１１には側面部１２ｂの他に下面部１２ａが存在することになる。
【００１５】
また、本形態例の滑り止め部材２０は、樹脂材等で形成された把持部の本体１２に密着することで固定されるように形成されたものであり、後付けタイプの杖の把持部用滑り止め部材となっている。
なお、本発明は、このような形態に限定されるものではなく、把持部の本体１２と滑り止め部材２０とが一体的に成形されたものも含まれる。
【００１６】
次に、本形態例の杖の把持部用滑り止め部材２０の詳細について説明する。
図５及び図６に示すように、３０は粘着ゲル層であり、把持部の本体１２に密着される粘着性ゲル材によって構成されている。
粘着性ゲル材としては、例えば、オレフィン系のゲルを用いることができる。
この粘着性ゲル材は、高い粘着性と、被粘着物に対しては剥離しても残らない好適な剥離性とを兼ね備える。また、粘着性ゲル材は、種々の表面に密着して好適に貼り付き、しかも、剥がし易い性質もある。
これに対して通常の接着剤を用いた場合には、被粘着面に強く貼り付いて剥がれないことがある。また、剥離性の良い接着剤を用いた場合は、十分な貼り付け力を得られない場合がある。
【００１７】
４０は布層であり、粘着ゲル層３０の外表面側に固着された状態で外層を形成している。
本発明にかかる粘着性ゲル材によれば、布層４０を形成する布繊維の間へ入り込んだ状態で強く密着できる。このため、その布層４０の表面部（上面側）に強力に固着できる。従って、粘着ゲル層３０は、布層４０の上面に、容易には剥がれないように好適に形成されている。
つまり、布層４０と粘着ゲル層３０とは、剥がれないように相互に強力に固着された状態に形成されている。
【００１８】
３３は粘着面部であり、布層４０に設けられた貫通孔４２の部分において、その貫通孔４２によって粘着性ゲル材が部分的に外面に露出した状態に設けられている。
本形態例では、粘着性ゲル材の一部が布層４０の複数の貫通孔４２内に充填され、さらにその一部がその貫通孔４２より外側（把持部の本体１２に固定されたときは、その本体１２の下面、側面）に突出して露出するように成形されることで、粘着面部３３が設けられている。
なお、粘着ゲル層３０を布層４０に固着する状態に形成するには、加熱流動化させた粘着性ゲル材を型に流し込む樹脂成形技術を応用することによって好適に行うことができる。
【００１９】
また、この布層４０としては、伸縮性があって且つ滑り止め効果の高い布を用い、粘着性ゲル材と前述のように一体的になるように成形してもよい。これによれば、成形性が良く、粘着面部３３以外の部分でも滑り止め効果を得ることができる。
さらに、布層４０を構成する布としては、透明なものを用いることができる。粘着ゲル層３０を構成する粘着性ゲル材は、一般的に透明な素材である。このため、布層４０が透明であることで、全体的に透明な把持部用滑り止め部材２０を設けることができる。この滑り止め部材２０を杖の把持部１１に装着すれば、把持部の本体１２の模様が透けて見えるため、デザイン的に利点がある。
【００２０】
また、本形態例の把持部用滑り止め部材２０の全体形状は、展開状態で非対称の十字状に形成されている（図３及び４参照）。その十字の交差部であって全体の略中央部に、杖の棒部１３を通すことのできる挿通孔３５が設けられている。杖の棒部１３の直径より一回り大きい直径の貫通孔になっている。
その挿通孔３５に杖の棒部１３を通し、粘着ゲル層３０の全面が粘着面になっている上面（図４参照）を、把持部の本体１２に、図１及び２に示すように密着することで装着される。粘着ゲル層３０を構成する粘着性ゲル材は、粘着性が強く且つ柔軟性が高い。そのため、この滑り止め部材２０は、把持部の本体１２の形状に倣って適切に付着できる。
【００２１】
また、この把持部用滑り止め部材２０にあっては、把持部の本体１２に装着された際に下面となる部分に突起部４１が設けられている。この突起部４１は使用者の手に引っ掛かって、滑ることを防止する部分となっている。このような形状も樹脂成形技術によって好適に製造できる。
なお、把持部用滑り止め部材２０の形状はこれに限定されず、例えば把持部の本体１２に巻き付けて装着する形態にするなど、適宜設計できるのは勿論である。
【００２２】
次に、以上の形態を備える把持部用滑り止め部材２０が装着された杖の使用方法について説明する。
使用者は、把持部を軽く握った状態でも、粘着性ゲル材が露出した粘着面部３３に指が付着する。これによって、杖１０が、使用者の手から不用意に脱落することを防止できる。
また、杖１０を立て掛けて置く際、例えば机にあってはその上面に、把持部１１の下面部１２ａに露出した粘着面部３３を付着させることで、杖１０が滑って転倒することを防止できる。
また、杖１０を壁に立て掛けて置く際は、把持部１１の側面部１２ｂに露出した粘着面部３３を、壁面に付着させることで、杖が滑って転倒することを防止できる。
【００２３】
なお、粘着性ゲル材は粘着性が強く、粘着面部３３にはゴミが付着し易い。ゴミが付着すると粘着力が低下する。しかし、洗浄することで粘着性を容易に復帰できるため、長期間の使用に耐え得る。
【００２４】
本実施例のような杖に限定されず、本発明は例えば傘のような他の棒状品にも応用できる。その場合、他の杖等の棒状品における把持部の少なくとも一部に、粘着性ゲル材の粘着表面が外面に露出するように、その粘着性ゲル材を構成要素とする滑り止め部材が固着されていればよい。その場合も上記の杖の場合と同等の効果を奏する。
【００２５】
以上、本発明につき好適な形態例を挙げて種々説明してきたが、本発明はこの形態例に限定されるものではなく、発明の精神を逸脱しない範囲内で多くの改変を施し得るのは勿論のことである。
【図面の簡単な説明】
【００２６】
【図１】本発明にかかる杖の形態例を示す側面図である。
【図２】図１の形態例のＡ矢視図である。
【図３】把持部用滑り止め部材を展開した状態の下面の形態を示す底面図である。
【図４】把持部用滑り止め部材を展開した状態の上面の形態を示す斜視図である。
【図５】図３を横断したＸ−Ｘ断面図である。
【図６】図３を縦断したＹ−Ｙ断面図である。
【符号の説明】
【００２７】
１０  杖
１１  把持部
１２  把持部の本体
１２ａ  下面部
１２ｂ  側面部
１３  棒部
２０  把持部用滑り止め部材
３０  粘着ゲル層
３３  粘着面部
３５  挿通孔
４０  布層
４１  突起部
４２  貫通孔
【図１】
2009022628.tif 000003
【図２】
2009022628.tif 000004
【図３】
2009022628.tif 000005
【図４】
2009022628.tif 000006
【図５】
2009022628.tif 000007
【図６】
2009022628.tif 000008